(57)【要約】【課題】光沢紙に顔料インクで記録した画質を維持したまま、記録画像の定着性を向上させることができるインクジェット記録方法およびインクジェットプリンタを提供することを目的とする。【解決手段】インクジェット印刷ヘッド１とインクジェット水吐出ヘッド５はキャリッジ２に保持され、インクジェット印刷ヘッド１にはインク供給システムが接続され、インクジェット水吐出ヘッド５には水供給システムが接続される。インクジェット印刷ヘッド１により記録紙１０に顔料インクで画像を印刷した後、インクジェット水吐出ヘッド５により記録紙１０の全面に水を塗布する、インクジェット画像記録方法およびインクジェットプリンタ。【選択図】    図１
2004314536.tif 000002
【特許請求の範囲】
【請求項１】
顔料、水溶性有機溶剤、界面活性剤および水を含有するインクジェット記録用インクによる画像記録方法であって、光沢紙にインクジェット記録用インクで画像を記録し、記録した画像面に水を塗布した後に乾燥させることを特徴とするインクジェット画像記録方法。
【請求項２】
顔料、水溶性有機溶剤、界面活性剤および水を含有するインクジェット記録用インクにより光沢紙に画像を記録し、記録した画像面に水を塗布することを特徴とするインクジェットプリンタ。
【発明の詳細な説明】
【０００１】
【発明の属する技術分野】
本発明は、インクジェット画像記録方法およびインクジェットプリンタに関する。
【０００２】
さらに詳しくは、顔料を着色剤としたインクジェット記録用インクを使用して光沢紙にインクジェット方式により画像を記録するインクジェット画像記録方法およびインクジェットプリンタに関する。
【０００３】
【従来の技術】
インクによる画像記録方法は一般に、インクを記録媒体の画像記録領域に付与する工程を含んでなり、インクを記録媒体に付与する手段としてインクの小滴を微細なノズルから吐出させ、紙等の記録媒体にインクを付着させて記録を行う方法、即ちインクジェット画像記録方法が広く使用されている。
【０００４】
インクジェット画像記録方法はインクを記録媒体に付与する過程で発生する騒音が無く、フルカラー化が容易である上、高速印刷が可能であるなどの利点がある。そのため、オフィスにおける書類の作成にとまらず、図形やイラストを含むパンフレットの作成などに利用されている。近年、高い画質を要求される画像の形成を目的とした、所謂写真画質に迫るインクジェットプリンタやインクジェット記録用インクおよびインクジェット記録媒体を用いた画像記録方法が開発されており、これらを用いた画像記録方法による画像品質は従来のハロゲン化銀写真感光材料を用いた画像品質に匹敵するに至っている。
【０００５】
この所謂写真画質の画像記録方法では従来より、インクジェット記録用インクは水性染料インクが主流であるが、着色剤である染料を水溶化するために耐水性や耐光性に問題があり、画像の保存安定性を重視する用途では、必ずしも満足な特性が得られていなかった。一方、着色剤に顔料を用いた顔料インクは、耐水性や耐光性の向上という目的を達成するためには非常に有望であり、多くの提案が成されており一部では実用化されている。
【０００６】
一方、所謂写真画質に用いられるインクジェット記録媒体としては、シリカやアルミナなどの無機微粒子とバインダーとしての水溶性高分子とを組み合わせたて多孔質層を形成させた媒体が開発されている。本記録媒体においては、多孔質層内部に大きな空隙部分を有しているため、インクがその空隙部分に毛細管現象により急速に吸収されること、多量のインクを内部の空隙部分に保持することができること、の二点の特徴を有する。これにより乾燥性に優れ、また急速にインクが吸収されることからインクの着色が真円状に保たれ、画像の鮮明さに優れるという特徴を持つ。
【０００７】
この無機微粒子を含有し、多孔質層が形成されているインクジェット記録媒体に前述の顔料インクを適用した場合、空隙孔の孔径が顔料粒子よりも十分大きくないため、全ての顔料粒子が内部に浸透することができず、一部の顔料粒子が媒体表面に固着して画像を形成する。そのため、媒体表面に固着した顔料は、指や紙による擦れに対する定着性が弱く、汚れが発生し易く保存に適さないという問題を有している。
【０００８】
特に高品位な画像が要求されるパンフレットや写真のプリントアウトで利用される光沢紙を記録媒体とした場合、顔料の記録媒体内部への浸透性が極めて劣るため、画像の耐擦性が一層劣ってしまう。
【０００９】
一方、顔料を固定化・定着する種々の方法が考案されているが、例えば顔料インク中に他の高分子定着剤を含有させ、インクが記録媒体表面に着弾した段階で高分子が顔料を固定する方法が考えられる。
【００１０】
また、別の顔料を固定化・定着する方法として、記録媒体に顔料定着機能を付与する方法も考案されている（例えば、特許文献１  参照。）。
【００１１】
これらは記録媒体の最上部に透明の熱可塑性樹脂粒子から形成される多孔質層を設け、画像記録後、ローラー等により加熱加圧処理を行うことで熱可塑性樹脂粒子を軟化・溶融・成膜し、顔料粒子を熱可塑性樹脂層の下に封じ込める方法である。
【００１２】
【特許文献１】
特開平１１−１９２７７５号公報
【００１３】
【発明が解決しようとする課題】
しかしながら、前記の顔料インク中に高分子定着剤を含有させて顔料粒子を記録媒体の表面に定着させる方法では、顔料を定着させるに十分な強度を得るために、高分子定着剤を多量に添加する必要があるが、これら高分子定着剤はインクジェット記録装置のインク吐出ノズルを目詰まりさせる恐れがある。即ち、印刷休止時にインク中の水分が蒸発により減少すると、高分子定着剤同士が結合して水に不溶性の樹脂となり、ノズルを閉塞させてしまう。一旦閉塞されたノズルはインク吸引等の回復措置を行っても完全に開口することはなく、インク吐出の妨げとなるため正常な画像が得られなくなる。
【００１４】
また、記録媒体に熱可塑性樹脂層を設け、画像記録後に加熱・加圧により熱可塑性樹脂膜を形成して画像を覆う方法は、画像記録するインクに含まれる顔料を熱可塑性樹脂層の内側にまず取込むために、記録媒体最上部の熱可塑性樹脂の細孔を顔料粒子より十分大きくする必要がある。この場合、熱可塑性樹脂層に着弾したインクは毛細管現象により熱可塑性樹脂の細孔を伝わって広がり、滲みの発生や、インクの着色の真円性が損なわれるなどの高品位画質を妨げる要因を有する。また、顔料を固定する熱可塑性樹脂膜を形成するため熱可塑性樹脂を加熱・加圧するための装置をプリンタに追加装備する必要があり、プリンタの大型化・消費電力の増大等プリンタの使い勝手の悪さも課題である。
【００１５】
したがって、本発明は、従来技術の課題を解決し、顔料インクを使用して光沢紙にインクジェット方式により記録した画質を維持したまま、記録画像の定着性を向上させることができるインクジェット画像記録方法およびインクジェットプリンタを提供することを目的とする。
【００１６】
【課題を解決するための手段】
本発明の上記目的は以下の構成により達成される。
【００１７】
（１）顔料、水溶性有機溶剤、界面活性剤および水を含有するインクジェット記録用インクによる画像記録方法であって、光沢紙にインクジェット記録用インクで画像を記録し、記録した画像面に水を塗布した後に乾燥させることを特徴とするインクジェット画像記録方法。
【００１８】
（２）顔料、水溶性有機溶剤、界面活性剤および水を含有するインクジェット記録用インクにより光沢紙に画像を記録し、記録した画像面に水を塗布するインクジェットプリンタ。
【００１９】
即ち、本発明者は上記の諸問題に鑑み鋭意検討を重ねた結果、上記に示すインクジェット画像記録方法及びインクジェットプリンタにより目的を達成できることを見出した。
【００２０】
【本発明の実施の形態】
以下、本発明を詳細に説明する。本発明のインクジェット画像記録方法は顔料、水溶性有機溶剤、界面活性剤および水を含有するインクジェット記録用インクによる画像記録方法であって、光沢紙にインクジェット記録用インクで画像を記録し、記録した画像面に水を塗布した後に乾燥させることを特徴とする。
本発明はまた、上記インクジェット画像記録方法を特徴とするインクジェットプリンタに関する。
本発明のインクジェット画像記録方法によれば、顔料、水溶性有機溶剤、界面活性剤および水を含有するインクジェット記録用インクを用いてインクジェット記録用光沢紙にインクジェットプリンタで画像を印刷し、その記録画像に水を塗布する。水を塗布する方法としては、水を入れた容器に前記記録画像を浸漬する方法、水をスプレー方式で記録画像に塗布する方法、水を含浸させた多孔質軟質フォーム製のローラーで前記記録画像に水を塗布する方法、インクジェット方式で前記記録画像に水を塗布する方法等が利用可能である。
【００２１】
記録画像に水を塗布する方法はこれらに限定されるものでは無く、均一に塗布する方法であれば利用可能である。
【００２２】
これらのうち、水を入れた容器に画像記録紙を浸漬方法は最も簡便であるが、画像記録紙を水中に完全に浸す必要があるため、顔料が定着する前に画像に触れて顔料を擦り落とすことが無いように注意する必要がある。また、水を含浸させた多孔質軟質フォーム製のローラーで水を塗布する方法は、ローラーがスムーズに回転するようにして、ローラーが顔料を擦り落とすことが無いようにする必要がある。一方、スプレー方式あるいはインクジェット方式により水を塗布する方法は記録画像に非接触であるため、定着前の顔料を擦り落とす危険性を少なくすることができる。また、記録画像に塗布する水の量、および塗布する範囲を制御して最適化することが容易であり、インクジェットプリンタに水を噴射するスプレーノズルあるいはインクジェットノズルを設置することでインクジェットプリンタと一体化することも可能であるため、本発明の目的にはより好ましい。
【００２３】
本発明で用いられる記録画像に塗布する水としては、一般の飲料に供することができる水道水を利用可能であるが、より好ましくは固形異物の少ない市販の飲料用ミネラルウォーターあるいは家庭用の飲料用浄水器から採取した水が利用できる。
【００２４】
本発明において画像を記録するインクジェット記録用インクは顔料、水溶性有機溶剤、界面活性剤および水を含有して成る。
【００２５】
４色のフルカラー画像を得る場合の顔料としては商品名あるいはＣ．Ｉピグメント番号で例示すると下記の通りとなるが、これらに限定されるものではない。
【００２６】
黒顔料は、ファーネスブラック、ランプブラック、アセチレンブラック、チャンネルブラック等のカーボンブラック顔料として、Ｒｅｇａｌ４００Ｒ、Ｒｅｇａｌ３３０Ｒ、Ｒｅｇａｌ６６０Ｒ、Ｍｏｇｕｌ    Ｌ、Ｂｌａｃｋ    Ｐｅａｒｌｓ    Ｌ、Ｂｌａｃｋ    Ｐｅａｒｌｓ    １３００、Ｍｏｎａｒｃｈ    ７００、Ｍｏｎａｒｃｈ    ８００、Ｍｏｎａｒｃｈ    ８８０、Ｍｏｎａｒｃｈ    ９００、Ｍｏｎａｒｃｈ    １０００、Ｍｏｎａｒｃｈ    １１００、Ｍｏｎａｒｃｈ    １３００、Ｍｏｎａｒｃｈ    １４００（以上、キャボット社製）Ｎｏ．２５、Ｎｏ．３３、Ｎｏ．４０、Ｎｏ．４７、Ｎｏ．５２、Ｎｏ．９００、Ｎｏ．２３００、ＭＣＦー８８、ＭＡ６００、ＭＡ７、ＭＡ８、ＭＡ１００（以上、三菱化学社製）等が挙げられるが、これらに限定されない。
【００２７】
シアン顔料としては、Ｃ．Ｉ．Ｐｉｇｍｅｎｔ    Ｂｌｕｅ    １、Ｃ．Ｉ．Ｐｉｇｍｅｎｔ    Ｂｌｕｅ    ２、Ｃ．Ｉ．Ｐｉｇｍｅｎｔ    Ｂｌｕｅ    ３、Ｃ．Ｉ．Ｐｉｇｍｅｎｔ    Ｂｌｕｅ    １５：３、Ｃ．Ｉ．Ｐｉｇｍｅｎｔ    Ｂｌｕｅ    １５：３４、Ｃ．Ｉ．Ｐｉｇｍｅｎｔ    Ｂｌｕｅ    １６、Ｃ．Ｉ．ＰｉｇｍｅｎｔＢｌｕｅ    ２２、Ｃ．Ｉ．Ｐｉｇｍｅｎｔ    Ｂｌｕｅ    ６０等が挙げられるが、これらに限定されない。
【００２８】
マゼンタ顔料としては、Ｃ．Ｉ．Ｐｉｇｍｅｎｔ    Ｒｅｄ    ５、Ｃ．Ｉ．Ｐｉｇｍｅｎｔ    Ｒｅｄ    ７、Ｃ．Ｉ．Ｐｉｇｍｅｎｔ    Ｒｅｄ    １２、Ｃ．Ｉ．Ｐｉｇｍｅｎｔ    Ｒｅｄ    ４８、Ｃ．Ｉ．Ｐｉｇｍｅｎｔ    Ｒｅｄ    ４８：１、Ｃ．Ｉ．Ｐｉｇｍｅｎｔ    Ｒｅｄ    ５７、Ｃ．Ｉ．Ｐｉｇｍｅｎｔ    Ｒｅｄ    １１２、Ｃ．Ｉ．Ｐｉｇｍｅｎｔ    Ｒｅｄ    １２２、Ｃ．Ｉ．Ｐｉｇｍｅｎｔ    Ｒｅｄ    １２３、Ｃ．Ｉ．Ｐｉｇｍｅｎｔ    Ｒｅｄ    １４６、Ｃ．Ｉ．Ｐｉｇｍｅｎｔ    Ｒｅｄ    １６８、Ｃ．Ｉ．Ｐｉｇｍｅｎｔ    Ｒｅｄ    １８４、Ｃ．Ｉ．Ｐｉｇｍｅｎｔ    Ｒｅｄ    ２０２等が挙げられるが、これらに限定されない。
【００２９】
イエロー顔料としては、Ｃ．Ｉ．Ｐｉｇｍｅｎｔ    Ｙｅｌｌｏｗ    １、Ｃ．Ｉ．Ｐｉｇｍｅｎｔ    Ｙｅｌｌｏｗ    ２、Ｃ．Ｉ．Ｐｉｇｍｅｎｔ    Ｙｅｌｌｏｗ３、Ｃ．Ｉ．Ｐｉｇｍｅｎｔ    Ｙｅｌｌｏｗ    １２、Ｃ．Ｉ．ＰｉｇｍｅｎｔＹｅｌｌｏｗ    １３、Ｃ．Ｉ．Ｐｉｇｍｅｎｔ    Ｙｅｌｌｏｗ    １４、Ｃ．Ｉ．Ｐｉｇｍｅｎｔ    Ｙｅｌｌｏｗ    １６、Ｃ．Ｉ．Ｐｉｇｍｅｎｔ    Ｙｅｌｌｏｗ    １７、Ｃ．Ｉ．Ｐｉｇｍｅｎｔ    Ｙｅｌｌｏｗ    ７３、Ｃ．Ｉ．Ｐｉｇｍｅｎｔ    Ｙｅｌｌｏｗ    ７４、Ｃ．Ｉ．Ｐｉｇｍｅｎｔ    Ｙｅｌｌｏｗ    ７５、Ｃ．Ｉ．Ｐｉｇｍｅｎｔ    Ｙｅｌｌｏｗ    ８３、Ｃ．Ｉ．Ｐｉｇｍｅｎｔ    Ｙｅｌｌｏｗ    ９３、Ｃ．Ｉ．Ｐｉｇｍｅｎｔ    Ｙｅｌｌｏｗ    ９５、Ｃ．Ｉ．Ｐｉｇｍｅｎｔ    Ｙｅｌｌｏｗ    ９７、Ｃ．Ｉ．Ｐｉｇｍｅｎｔ    Ｙｅｌｌｏｗ    ９８、Ｃ．Ｉ．Ｐｉｇｍｅｎｔ    Ｙｅｌｌｏｗ    １１４、Ｃ．Ｉ．Ｐｉｇｍｅｎｔ    Ｙｅｌｌｏｗ    １２８、Ｃ．Ｉ．Ｐｉｇｍｅｎｔ    Ｙｅｌｌｏｗ    １２９、Ｃ．Ｉ．Ｐｉｇｍｅｎｔ    Ｙｅｌｌｏｗ    １５１、Ｃ．Ｉ．Ｐｉｇｍｅｎｔ    Ｙｅｌｌｏｗ    １５４等が挙げられるが、これらに限定されない。
【００３０】
これらの顔料は分散剤およびその他所望する緒目的に応じて必要な添加剤と共に混合して分散機により分散して用いる。分散機としては従来公知のボールミル、サンドミル、ラインミル、高圧ホモジナイザーなどが使用できる。
【００３１】
またこれらの顔料は、事前に表面処理を行って使用することもできる。表面処理の例としてはエタノール、プロパノール等のアルコール類による表面処理、界面活性剤処理、酸性基や塩基性基を置換する顔料誘導体処理、顔料表面を他物質で被覆する顔料被覆反応処理、縮合反応やグラフト反応により置換基を導入する表面化学反応処理、シラン系カップリング剤、チタネート系カップリング剤、アルミネート系カップリング剤、ジルコネート系カップリング剤等で表面処理するカップリング反応処理、プラズマ反応処理、ＣＶＤ処理等が挙げられる。
【００３２】
顔料表面に親水性官能基を導入する公知の方法や新たに発明された方法によって、水中に自己分散可能な顔料を調製し、使用することもできる。このような方法としては、硝酸、過マンガン酸塩、重クロム酸塩、次亜塩素酸塩、過硫酸アンモニウム、過酸化水素、オゾン等の酸化剤による酸化処理等が挙げられる。
【００３３】
また、本発明においては、水中に自己分散可能な顔料として、市販の親水処理された顔料を使用することもできる。このような市販の親水処理顔料として、例えば、ＢＯＮＪＥＴ    ＢＬＡＣＫ    ＣＷ−１（オリエント化学工業社製）、ＣＡＢ−Ｏ−ＪＥＴ２００、ＣＡＢ−Ｏ−ＪＥＴ３００（キャボット社製）等が挙げられる。
【００３４】
本発明で使用するインクジェット記録用インクでは、インクジェットノズル部におけるインク成分の固化を防止するものとして、多価アルコール類およびそのアルキルエーテル等の誘導体類を使用することができる。
これらの例としては、グリセリン、ポリエチレングリコール、ポリプロピレングリコール、ジエチレングリコール、２（２ブトキシエトキシ）エタノール、ジエチレングリコールフェニルエーテル、プロピレングリコール、プロピレングリコールモノメチルエーテル、ブチレングリコール、トリエチレングリコール、チオジグリコール、へキシレングリコール、エチレングリコールメチルエーテル、ジエチレングリコールメチルエーテル、ペンタンジオール、へキサントリオール、トリメチロールプロパン等が挙げられる。また、メチルアルコール、エチルアルコール、ｎ−プロピルアルコール、イソプロピルアルコール、ｎ−ブチルアルコール、ヘキシルアルコール、ベンジルアルコール等のアルコール類、ジメチルホルムアミド、ジメチルアセトアミド等のアミド類、アセトン、ジアセトンアルコール等のケトン、ケトアルコール類、トリエタノールアミン、ジエタノールアミン、ピロリドン、Ｎーメチルー２−ピロリドン、１，３ージメチルー２−イミダゾリジノン等の高沸点含窒素溶媒、ジメチルスルフォキシド、スルフォラン、チオジエタノール等の含硫黄溶媒、グルコース、マルトース、アミロース（デキストリン）、セルロース、アルギン酸ナトリウム等の糖類及びその誘導体、アラビアゴム等が挙げられるが、これらに限定されない。
【００３５】
これらの水溶性有機溶剤は、１種を単独で使用してもよいが、２種以上を混合することもできる。
【００３６】
本発明で使用するインクジェット記録用インクでは、インクジェット記録用インクのインクジェットノズルからの吐出安定性制御のために表面張力の調整や、インクジェット記録媒体へのインクの乾燥速度の制御等を行う目的でインク中に界面活性剤を添加する。
【００３７】
界面活性剤は、ノニオン、カチオン、アニオンまたは両性界面活性剤のいずれでも良い。
例えば、ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレン脂肪酸エステル、ソルビタン脂肪酸エステル、脂肪酸アルキロールアミド、アセチレングリコール誘導体等が挙げられる。
【００３８】
カチオン界面活性剤としては、第一、第二、第三級のアミン塩、第四級アンモニウム塩等が挙げられる。
アニオン界面活性剤としては、アルキルベンゼンスルホン酸塩、アルキルナフタレンスルホン酸塩、高級脂肪酸塩、高級脂肪酸エステル塩等が挙げられる。
これらの界面活性剤は、１種を単独で使用してもよいが、２種以上を混合することもできる。
【００３９】
さらに、本発明で使用されるインクジェット記録用インクは、酸化剤、酸化防止剤、還元剤、酵素、殺菌剤、消泡剤、その他添加剤を必要に応じて添加することができる。
【００４０】
本発明で使用されるインクジェット記録用光沢紙は、普通紙、上質紙等にシリカ、アルミナ等の顔料と、カゼイン、澱粉、ポリビニルアルコール、カルボキシメチルセルロース、スチレンーブタジエン系ラテックス、酢酸ビニル系エマルジョン等の樹脂をそれぞれ単独あるいは組み合わせて混合したものを塗工し、塗工後の湿潤状態にある塗工面を、加熱した仕上げ面に圧着して乾燥し、光沢のある記録層を形成したキャストコート紙である。
【００４１】
次に本発明のインクジェットプリンタの一例として、概略の構成を図１により説明する。
本発明のインクジェットプリンタの基本的な構成は一般的に使用されているインクジェットプリンタと同様であるので、その説明は省略する。
【００４２】
インクジェット印刷ヘッド１はキャリッジ２に保持され、キャリッジ２はキャリッジガイド軸１３および１４に懸垂されてプラテン３の表面に沿って長手方向に往復運動する。インクジェット印刷ヘッド１にはインク供給システムが接続される。インク供給システムの主要構成は、図示していないインクカートリッジおよび図示していないインク供給路からなり、図示していないインクカートリッジがキャリッジ２に固定搭載される形態でも良く、また図示していないインクカートリッジがキャリッジ２とは別に固定され、可動可能なインク供給チューブ４によりキャリッジ２に保持されたインクジェット印刷ヘッド１にインクが供給される形態でも良い。
【００４３】
キャリッジ２にはインクジェット水吐出ヘッド５がインクジェット印刷ヘッド１と前後に並んで固定され、インクジェット印刷ヘッド１と連動してインクジェット水吐出ヘッド５がプラテン６の表面に沿って長手方向に往復運動する。インクジェット水吐出ヘッド５には水供給システムが接続される。
【００４４】
水供給システムの主要構成は、図示していない水タンクおよび図示していない水供給路からなり、キャリッジ２に図示していない水タンクが固定搭載される形態でも良く、また、図示していない水タンクがキャリッジ２とは別に固定され、可動可能な水供給チューブ７によりインクジェット水吐出ヘッド５に水が供給される形態でも良い。
【００４５】
紙送りローラーセット８および９はインクジェット印刷ヘッド１を挟み、前後に配置され、ローラーセット８および９によってプラテン３の表面に沿ってインクジェット印刷ヘッド１の移動方向とは直交する方向に記録紙１０が搬送される。各プラテン３および６には光学式あるいは接触式のセンサー１１および１２が配置され、それぞれの位置で記録紙１０の有無を検出することができる。
【００４６】
記録紙１０がローラーセット８により搬送され、プラテン３のセンサー１１により記録紙１０先端がインクジェット印刷ヘッド１の直前に到達したことが検出され、その位置から規定の距離だけ記録紙１０が搬送されてインクジェット印刷ヘッド１の直下に到達するとキャリッジ２の往復運動が開始され、印刷が開始される。印刷が進行して記録紙１０が更に搬送され、プラテン６のセンサー１２により記録紙１０の先端がインクジェット水吐出ヘッド５の直前まで到達したことが検出され、記録紙１０の全面に対して水の吐出が開始される。
【００４７】
更に印刷が進み記録紙１０後端がプラテン３のセンサー１１に達して規定の距離だけ記録紙１０が搬送されるとインクジェット印刷ヘッド１のインク吐出が停止する。記録紙１０が更に搬送され、記録紙１０後端がプラテン３のセンサー１１に達して規定の距離だけ記録紙１０が搬送されると水の吐出が停止し、キャリッジ２の往復運動が停止する。キャリッジ２の往復運動が停止すると、キャリッジ２は記録紙１０の幅方向で記録紙１０の上面か外れた位置に移動して休止状態となる。
【００４８】
本発明のインクジェットプリンタのインクジェット印刷ヘッドはいかなる方式も用いることができる。例えば、コンティニュアス方式及びオンデマンド方式が挙げられるが、どちらの方式においても使用することができる。オンデマンド方式としては、電気−機械変換方式であるピエゾ型および静電アクチェータ型等、電気−熱変換方式であるサーマルインクジェット型およびバブルインクジェット型等、静電吸引方式、及び放電方式などがあげられる。
【００４９】
また、本発明のインクジェットプリンタのインクジェット水吐出ヘッドはインクジェット印刷ヘッドと同じでも良く、また、異なっていても良い。
【００５０】
また、インクジェット水吐出ヘッドおよび水供給システムの代わりに、水噴射ノズルと水供給路に加圧ポンプを有する水スプレーシステムを使用することも可能である。
【００５１】
滲みの無い高品位な画像を形成するためには、インクジェットノズルから吐出されたインクジェット記録用インクはインクジェット記録媒体に速やかに吸収され着色が固定される必要がある。この速やかな吸収を実現するために、インクジェット記録用インクには界面活性剤および水溶性有機溶剤が添加される。
【００５２】
本発明のインクジェット画像記録方法およびインクジェットプリンタでは、インクジェット記録用インクが着弾と同時に顔料以外の成分の大部分がインクジェット記録媒体内部に浸透して滲みの無い画像が形成される。そこに水を塗布することで、記録画像表面に取り残された顔料が記録層の極浅い部位に移動して画像が定着する。この顔料の移動過程は極めて遅い速度であるため、画像の滲みや、隣接している異なる着色が混色することが無く、インクジェット記録用インクが着弾したままの位置が保たれ、画像の品質が劣化することが無い。また、記録画像表面に露出する顔料が無いので、記録画像が擦られても顔料が剥離する事が無く、記録画像の耐擦性が向上する。
【００５３】
（実施例）
次に、本発明に係るインクジェット画像記録方法およびインクジェットプリンタについて具体的な実施例を挙げて説明すると共に、この発明の実施例によると、インクジェット記録画像が擦られても顔料が剥離する事が無く、記録画像の耐擦性が向上する事を比較例を挙げて明らかにする。尚、本発明はこれら実施例に限定されるものではない。
（実施例１）
表１
2004314536.tif 000003
【００５４】
表１に組成を示した顔料、水溶性有機溶剤、界面活性剤および水を含有するインクジェット記録用の黒インク、シアンインク、マゼンタインク、イエローインクを製造し、セイコーエプソン社で試作したインクジェット印刷ヘッドとインクジェット水吐出ヘッドを備えたフルカラーインクジェットプリンタにより、光沢紙（ＭＩＪ６５Ｋ、中川製作所製）に画像を記録しつつ、水を塗布した。この時、記録画像に塗布する水には水道水を使用した。
【００５５】
この記録画像を室温で１時間乾燥させた後、市販のティッシュペーパーで画像を擦ったところ、顔料の剥離は起こらず、画像は初期の状態を保つことができた。また、画像を擦ったティッシュペーパーに顔料が付着して着色する事は無かった。
【００５６】
（実施例２）
実施例１で製造したインクジェット記録用インクを、実施例１で使用した試作フルカラーインクジェットプリンタで、水を吐出せずに、光沢紙（ＭＩＪ６５Ｋ、中川製作所製）に画像を記録した。画像記録終了直後に、水道水を溜めた洗面器にこの記録画像を５秒間浸漬した。
【００５７】
この記録画像を室温で４時間乾燥させた後、市販のティッシュペーパーで画像を擦ったところ、顔料の剥離は起こらず、画像は初期の状態を保つことができた。また、画像を擦ったティッシュペーパーに顔料が付着して着色する事は無かった。
【００５８】
（比較例）
実施例１で製造したインクジェット記録用インクを、実施例１で使用した試作フルカラーインクジェットプリンタで、水を吐出せずに、光沢紙（ＭＩＪ６５Ｋ、中川製作所製）に画像を記録した。
【００５９】
この記録画像を室温で１時間放置した後、市販のティッシュペーパーで画像を擦ったところ、顔料が剥離し、ティッシュペーパーには顔料が付着して着色していた。この記録画像を室温で４時間放置した後、市販のティッシュペーパーで画像を擦ったところ、顔料が剥離し、ティッシュペーパーには顔料が付着して着色していた。
【００６０】
【発明の効果】
本発明のインクジェット画像記録方法およびインクジェットプリンタによれば、光沢紙上に定着性が非常に優れた顔料インクによる記録画像を得る事ができる。
【図面の簡単な説明】
【図１】図１は本発明のインクジェット画像記録方法を適用したインクジェットプリンタの特徴の概略を示しており、画像記録部および水吐出部を断面図で示す図である。
【符号の説明】
１    インクジェット印刷ヘッド
２    キャリッジ
３    プラテン
４    インク供給チューブ
５    インクジェット水吐出ヘッド
６    プラテン
７    水供給チューブ
８    ローラーセット
９    ローラーセット
１０  記録紙
１１  センサー
１２  センサー
１３  キャリッジガイド軸
１４  キャリッジガイド軸
【図１】
2004314536.tif 000004